(57)【要約】【課題】飲料を注ぐ際、飲料を幅狭状に流出させて、飲料を確実にコップ等に注ぐことができる飲料容器注ぎ口構造を提供する。【解決手段】直方体状の紙製飲料容器本体の上壁部に設けられ、かつ、上壁部の使用時傾け側寄りに固着された樹脂製有底円筒状の注ぎ口部材と、注ぎ口部材に螺着されて注ぎ口部材を施蓋するキャップとを備え、注ぎ口部材の底壁部が、ちぎりにより注出孔を形成するための環状薄肉線状部７を有し、薄肉線状部７をちぎって被ちぎり部を離脱させるとともに注出孔を形成して、飲料容器本体を傾けると、飲料容器本体内の飲料が、注出孔から流出して注ぎ口部材の円筒壁部内を介して外部へ流出するように構成した飲料容器注ぎ口構造に於て、薄肉線状部７が、使用時傾け側に角部８を有する。【選択図】図４
2019026284.tif 000002
【特許請求の範囲】
【請求項１】
直方体状の紙製飲料容器本体（１）の上壁部（２）に設けられ、かつ、上記上壁部（２）の使用時傾け側（Ａ）寄りに固着された樹脂製有底円筒状の注ぎ口部材（３）と、該注ぎ口部材（３）に螺着されて該注ぎ口部材（３）を施蓋するキャップ（４）とを備え、上記注ぎ口部材（３）の底壁部（５）が、ちぎりにより注出孔（６）を形成するための環状薄肉線状部（７）を有し、該薄肉線状部（７）をちぎって被ちぎり部（13）を離脱させるとともに上記注出孔（６）を形成して、上記飲料容器本体（１）を傾けると、上記飲料容器本体（１）内の飲料（Ｅ）が、上記注出孔（６）から流出して上記注ぎ口部材（３）の円筒壁部（12）内を介して外部へ流出するように構成した飲料容器注ぎ口構造に於て、
上記薄肉線状部（７）が、使用時傾け側に角部（８）を有することを特徴とする飲料容器注ぎ口構造。
【請求項２】
上記角部（８）を形成する２本の直線の成す角度（θ）を、60°≦θ≦90°に設定した請求項１記載の飲料容器注ぎ口構造。
【発明の詳細な説明】
【技術分野】
【０００１】
本発明は、飲料容器注ぎ口構造に関する。
【背景技術】
【０００２】
一般に、牛乳パックの注ぎ口構造は、接着により一文字状に閉じられている（例えば、特許文献１参照）。この牛乳パックを開口するには、接着部を剥離する必要があるが、開口に手間がかかり、美しく開口することができない虞れがあった。そこで、牛乳パックを容易に開封することができるように、円筒状注ぎ口にキャップを螺合させた注ぎ口構造のものがある。
【先行技術文献】
【特許文献】
【０００３】
【特許文献１】特開２００５−２９２１２号公報
【発明の概要】
【発明が解決しようとする課題】
【０００４】
上記の円筒状注ぎ口にキャップを螺合させた注ぎ口構造の飲料容器注ぎ口構造は、注ぎ口の基端に設けられた注出孔の形状が、正方形の場合には、使用時傾け側が左右方向直線状となり、注出孔が円形の場合は、使用時傾け側が円弧状（図７（Ｂ）参照）なので、飲料Ｅが注出孔30から流出する際の幅寸法Ｗ0 が大きく、飲料ＥをコップＣに注ぐ際、図11に示すように、飲料Ｅが、幅広状に流出してコップＣの外にこぼれやすいという問題がある。特に、飲料Ｅの内容量（残量）が多い場合、図10に示すように、飲料Ｅを注ぐ際、飲料Ｅが勢いよく流出するので、一層、コップＣの外にこぼれやすい。そこで、本発明は、飲料Ｅを注ぐ際、飲料Ｅを幅狭状に流出させて、飲料Ｅを確実にコップＣ等に注ぐことができる飲料容器注ぎ口構造を提供することを目的とする。
【課題を解決するための手段】
【０００５】
そこで、本発明に係る飲料容器注ぎ口構造は、直方体状の紙製飲料容器本体の上壁部に設けられ、かつ、上記上壁部の使用時傾け側寄りに固着された樹脂製有底円筒状の注ぎ口部材と、該注ぎ口部材に螺着されて該注ぎ口部材を施蓋するキャップとを備え、上記注ぎ口部材の底壁部が、ちぎりにより注出孔を形成するための環状薄肉線状部を有し、該薄肉線状部をちぎって被ちぎり部を離脱させるとともに上記注出孔を形成して、上記飲料容器本体を傾けると、上記飲料容器本体内の飲料が、上記注出孔から流出して上記注ぎ口部材の円筒壁部内を介して外部へ流出するように構成した飲料容器注ぎ口構造に於て、上記薄肉線状部が、使用時傾け側に角部を有するものである。
また、上記角部を形成する２本の直線の成す角度θを、60°≦θ≦90°に設定したものである。
【発明の効果】
【０００６】
本発明の飲料容器注ぎ口構造によれば、飲料を注ぐ際、飲料が幅広状に流出してコップ等の外にこぼれることを防止することができる。すなわち、飲料を注ぐ際、飲料を幅狭状に流出させて、飲料を確実にコップ等に注ぐことができる。
【図面の簡単な説明】
【０００７】
【図１】本発明の実施の一形態を示す斜視図である。
【図２】薄肉線状部をちぎる前の状態を示す要部拡大断面図である。
【図３】薄肉線状部をちぎった後の状態を示す要部拡大断面図である。
【図４】薄肉線状部を示す説明斜視図であって、（Ａ）は一例を示す説明斜視図、（Ｂ）は他例を示す説明斜視図である。
【図５】薄肉線状部を示す図であって、（Ａ）は上壁部に直交する方向から見た要部拡大図、（Ｂ）は要部断面図である。さらに、（ａ）は幅広三角溝状の薄肉線状部の要部断面図、（ｂ）は幅狭三角溝状の薄肉線状部の要部断面図、（ｃ）は半円形溝状の薄肉線状部の要部断面図である。
【図６】被ちぎり部を示す斜視図である。
【図７】本発明と従来例を比較するための説明図であって、（Ａ）は本発明を示す説明図、（Ｂ）は従来例を示す説明図である。
【図８】飲料の内容量が多い場合に、本発明の飲料容器注ぎ口構造によって飲料を流出する際の流出状態を示す使用状態説明図である。
【図９】飲料の内容量が少ない場合に、本発明の飲料容器注ぎ口構造によって飲料を流出する際の流出状態を示す使用状態説明図である。
【図１０】飲料の内容量が多い場合に、従来の飲料容器注ぎ口構造によって飲料を流出する際の流出状態を示す使用状態説明図である。
【図１１】飲料の内容量が少ない場合に、従来の飲料容器注ぎ口構造によって飲料を流出する際の流出状態を示す使用状態説明図である。
【発明を実施するための形態】
【０００８】
以下、図示の実施の形態に基づいて本発明を詳説する。
図１は、本発明の実施の一形態を示す。この飲料容器注ぎ口構造は、直方体状の紙製飲料容器本体１の上壁部２に設けられる。飲料Ｅ（図８・図９参照）としては、牛乳、豆乳、アイスコーヒー、ジュース、日本酒等、種々のものが挙げられる。
【０００９】
図１・図２に示すように、上壁部２の使用時傾け側Ａ寄りに固着された樹脂製有底円筒状の注ぎ口部材３と、注ぎ口部材３に螺着されて注ぎ口部材３を施蓋するキャップ４とを備える。
【００１０】
注ぎ口部材３の底壁部５が、ちぎりにより注出孔６（図３、図７（Ａ）参照）を形成するための環状薄肉線状部７を有する。
【００１１】
図４は、薄肉線状部７の形状を示す。薄肉線状部７を上壁部２（図１〜図３参照）に直交する方向から見た形状が、図４（Ａ）に示すような扇型である。図４（Ｂ）に示すようなホームベース型とするも良い。
【００１２】
薄肉線状部７が、使用時傾け側に角部８を有する。「角部」とは、図４（Ａ）及び図４（Ｂ）に示すように、２本の直線９，９によって形成された部位のみならず、図５（Ａ）に示すように、小さな曲率半径ｒ（０＜ｒ≦ 1.5mm）の円弧10をもって２本の直線９，９が連結されている部位を含むものとする。図５（Ａ）の１点鎖線は、薄肉線状部７のちぎり予定線11（肉厚が最小となる溝底部分。）を示す。曲率半径ｒが、 1.5mm＜ｒの場合、飲料容器本体１を傾けて同じ内容量の飲料Ｅを流出させ始める際、小さな曲率半径ｒ（０＜ｒ≦ 1.5mm）の場合と比較して大きく傾けて初めて流出し始めるので、勢いよく流出し始め、飲料ＥがコップＣ（図８参照）等の外へこぼれやすくなる。
【００１３】
角部８を形成する２本の直線９，９の成す角度θが、60°≦θ≦90°に設定される。好ましくは、75°≦θ≦85°に設定される。角度θが、60°≦θ≦90°に設定される場合、飲料Ｅを注ぐ際、飲料Ｅを幅狭状に流出（注出）させて、飲料Ｅを確実にコップＣ等に注ぐことができる。角度θが、θ＜60°の場合、注出孔６の面積が小さくなり、所定量注ぐのに時間がかかる。角度θが、90°＜θの場合、飲料Ｅを注ぐ際、図10に示すように、飲料Ｅが、幅広状に流出してコップＣ（図８参照）の外にこぼれやすい。
【００１４】
図５（Ｂ）に示すように、薄肉線状部７は、断面形状が、図５（Ｂ）（ａ）に示すような幅広三角溝状、又は、図５（Ｂ）（ｂ）に示すような幅狭三角溝状、あるいは、図５（Ｂ）（ｃ）に示すような半円形溝状等とされる。薄肉線状部７を、ハーフカット等により形成することができる。
【００１５】
薄肉線状部７は、図５（Ｂ）に示すように、上面側のみに形成する他、図示省略するが、下面側のみに形成するも良く、また、上面側と下面側の両方に形成するも良い。
【００１６】
図６に示すように、被ちぎり部13は、環状指掛部14と、薄肉線状部７（図２、図４、図５参照）の内側の底壁中央部15と、指掛部14と底壁中央部15を連結する連結部16と、を有する。
【００１７】
指掛部14に指を掛けて、薄肉線状部７（図２、図４、図５参照）をちぎって被ちぎり部13を離脱させるとともに注出孔６（図３、図７（Ａ）、図８、図９参照）を形成して、図８・図９に示すように、飲料容器本体１を傾けると、飲料容器本体１内の飲料Ｅが、注出孔６から流出して注ぎ口部材３の円筒壁部12内を介して外部へ流出する。図７（Ａ）に示すように、従来の円形の注出孔30（図７（Ｂ）参照）の場合と比較して、飲料Ｅが注出孔６から流出する際の幅寸法Ｗ1 が、小さいので、飲料Ｅを注ぐ際、飲料ＥがコップＣの外にこぼれることを防止することができる。すなわち、飲料Ｅを注ぐ際、飲料Ｅを幅狭状に流出させて、飲料Ｅを確実にコップＣ等に注ぐことができる。
【００１８】
なお、本発明は、設計変更可能であって、例えば、飲料容器本体１の上壁部２が長方形であっても良い。また、飲料容器本体１の上壁部２が水平面状であっても良い。さらに、注出孔６の形状は、扇型、ホームベース型以外の形状でも良く、例えば、ひし形等であっても良い。
【００１９】
以上のように、本発明は、直方体状の紙製飲料容器本体１の上壁部２に設けられ、かつ、上記上壁部２の使用時傾け側Ａ寄りに固着された樹脂製有底円筒状の注ぎ口部材３と、該注ぎ口部材３に螺着されて該注ぎ口部材３を施蓋するキャップ４とを備え、上記注ぎ口部材３の底壁部５が、ちぎりにより注出孔６を形成するための環状薄肉線状部７を有し、該薄肉線状部７をちぎって被ちぎり部13を離脱させるとともに上記注出孔６を形成して、上記飲料容器本体１を傾けると、上記飲料容器本体１内の飲料Ｅが、上記注出孔６から流出して上記注ぎ口部材３の円筒壁部12内を介して外部へ流出するように構成した飲料容器注ぎ口構造に於て、上記薄肉線状部７が、使用時傾け側に角部８を有するので、飲料Ｅを注ぐ際、飲料Ｅを幅狭状に流出させて、飲料Ｅを確実にコップＣ等に注ぐことができる。
【００２０】
また、上記角部８を形成する２本の直線の成す角度θを、70°≦θ≦ 100°に設定したので、注出孔６の面積が過度に小さくならず、従って、飲料Ｅを注ぐ際、所定量注ぐのに時間がかかり過ぎることなく、かつ、飲料Ｅを幅狭状に流出させて、飲料Ｅを確実にコップＣ等に注ぐことができる。
【符号の説明】
【００２１】
１  （紙製）飲料容器本体
２  上壁部
３  注ぎ口部材
４  キャップ
５  底壁部
６  注出孔
７  （環状）薄肉線状部
８  角部
12  円筒壁部
13  被ちぎり部
Ａ  使用時傾け側
Ｅ  飲料
θ  角度
【図１】
2019026284.tif 000003
【図２】
2019026284.tif 000004
【図３】
2019026284.tif 000005
【図４】
2019026284.tif 000006
【図５】
2019026284.tif 000007
【図６】
2019026284.tif 000008
【図７】
2019026284.tif 000009
【図８】
2019026284.tif 000010
【図９】
2019026284.tif 000011
【図１０】
2019026284.tif 000012
【図１１】
2019026284.tif 000013